(57)【特許請求の範囲】
【請求項１】
現像剤が落下する落下路と、
前記落下路内に配置され且つ前記落下路に沿って往復動することで前記落下路内の現像剤を崩す第１崩し部材と、
前記落下路内に配置され且つ前記落下路に沿って往復動することで前記落下路内の現像剤を崩す第２崩し部材と、
を備え、
往復動する前記第１崩し部材が、前記落下路内の現像剤の落下方向下流に移動するときに、前記落下路の内壁面に接触することで、前記落下方向下流側の先端が前記第２崩し部材が配置されている側に傾き、且つ前記落下方向下流に移動する場合に前記第２崩し部材に接触する
ことを特徴とする現像剤搬送装置。
【請求項２】
内部を現像剤が落下する第１落下路と、前記第１落下路の現像剤落下方向下流端が合流すると共に内部を現像剤が落下する第２落下路と、を有する落下路と、
前記第１落下路内に配置され且つ前記第１落下路に沿って往復動することで前記第１落下路内の現像剤を崩す第１崩し部材と、
前記第２落下路内に配置され且つ前記第２落下路に沿って往復動することで前記第２落下路内の現像剤を崩す第２崩し部材と、
前記第１崩し部材および前記第２崩し部材を保持し、回転することで前記第１崩し部材および第２崩し部材を往復動させる保持部材と、
を備え、
前記第１落下路の壁面が、前記第２落下路側に傾斜して形成され、
前記保持部材の回転に応じて往復動する前記第１崩し部材が、前記第１落下路内の現像剤の落下方向下流に移動する場合に、前記第１落下路の前記傾斜する壁面に接触することで、前記落下方向下流側の先端が前記第２崩し部材が配置されている側に傾き、且つ、前記第２落下路内の前記第２崩し部材に接触する
ことを特徴とする現像剤搬送装置。
【請求項３】
内部を現像剤が落下する第１落下路と、前記第１落下路が合流すると共に内部を現像剤が落下する第２落下路と、前記第１落下路に形成され且つ前記第２落下路側に傾斜して形成された傾斜壁と、を有する落下路と、
前記第１落下路内に配置され、且つ、前記第１落下路に沿って上端の第１上端位置と下端の第１下端位置との間で往復動して、前記第１落下路内の現像剤を崩す第１崩し部材であって、前記第１下端位置において前記傾斜壁に接触して前記落下方向下流側の先端が前記第２崩し部材が配置されている側に傾斜する前記第１崩し部材と、
前記第２落下路内に配置され、且つ、前記第２落下路に沿って上端の第２上端位置と下端の第２下端位置との間で往復動して、前記第２落下路内の現像剤を崩す第２崩し部材であって、前記第１下端位置において前記第２落下路側に傾斜した前記第１崩し部材に接触する第２崩し部材と、
前記第１崩し部材および前記第２崩し部材を保持し、回転することで前記第１崩し部材および第２崩し部材を往復動させる保持部材と、
を備えたことを特徴とする現像剤搬送装置。
【請求項４】
前記保持部材の回転時に回転中心となる回転軸部と、前記回転軸部から径方向に離れた位置に支持され且つ前記第１崩し部材を支持する第１崩し部材支持部と、前記第１崩し部材支持部とは前記保持部材の回転方向に沿って位相が異なる位置に支持され且つ前記第２崩し部材を支持する第２崩し部材支持部と、を有する前記保持部材、
を備えたことを特徴とする請求項２または３に記載の現像剤搬送装置。
【請求項５】
前記第１崩し部材の往復動の移動方向と、前記第２崩し部材の往復動の移動方向とが異なることを特徴とする請求項１ないし３のいずれかに記載の現像剤搬送装置。
【請求項６】
前記第１崩し部材の上方に形成されて、前記落下路内に現像剤を流入させる第１流入口を備え、
前記第１流入口から流入する現像剤が、前記落下路の落下方向に垂直な方向に対して、偏って流入すると共に、
往復動する前記第１崩し部材が、偏って流入した側において、落下方向に沿って重力方向で下方に向けて移動する
ことを特徴とする請求項１ないし５のいずれかに記載の現像剤搬送装置。
【請求項７】
前記第２崩し部材の上方に形成されて、前記落下路内に現像剤を流入させる第２流入口を備え、
前記第２流入口から流入する現像剤が、前記落下路の落下方向に垂直な方向に対して、偏って流入すると共に、
往復動する前記第２崩し部材が、偏って流入した側において、落下方向に沿って重力方向で下方に向けて移動する
ことを特徴とする請求項１ないし６のいずれかに記載の現像剤搬送装置。
【請求項８】
複数の像保持体と、
前記像保持体表面の潜像を可視像に現像する複数の現像装置と、
前記可視像が転写された後の前記像保持体表面に残留した現像剤を除去して清掃する像保持体清掃器と、
前記像保持体清掃器で除去された残留現像剤を搬送する残留現像剤搬送路と、
前記像保持体に対向して配置され、前記像保持体表面の可視像が転写される中間転写体と、
前記像保持体表面の可視像を前記中間転写体に転写する複数の一次転写器と、
前記中間転写体表面の可視像を媒体に転写する二次転写器と、
前記二次転写器により媒体に可視像が転写された後の前記中間転写体表面に付着した残留現像剤を除去して清掃する中間転写体清掃器と、
前記中間転写体で除去された残留現像剤を搬送する中間転写体用残留現像剤搬送路と、
内部を前記中間転写体用残留現像剤搬送路によって搬送された現像剤が落下する第１落下路と、前記第１落下路の現像剤落下方向下流端が合流すると共に内部を残留現像剤搬送路によって搬送された現像剤が落下する第２落下路と、を有する落下路と、
前記第１落下路内に配置され且つ前記第１落下路に沿って往復動することで前記第１落下路内の現像剤を崩す第１崩し部材と、
前記第２落下路内に配置され且つ前記第２落下路に沿って往復動することで前記第２落下路内の現像剤を崩す第２崩し部材と、
前記第１崩し部材および前記第２崩し部材を保持し、回転することで前記第１崩し部材および第２崩し部材を往復動させる保持部材と、
を備え、
前記第１落下路の壁面が、前記第２落下路側に傾斜して形成され、
前記保持部材の回転に応じて往復動する前記第１崩し部材が、前記第１落下路内の現像剤の落下方向下流に移動する場合に、前記第１落下路の前記傾斜する壁面に接触することで、前記落下方向下流側の先端が前記第２崩し部材が配置されている側に傾き、且つ、前記第２落下路内の前記第２崩し部材に接触する
ことを特徴とする画像形成装置。
【発明の詳細な説明】
【技術分野】
【０００１】
本発明は、現像剤搬送装置および画像形成装置に関する。
【背景技術】
【０００２】
従来の電子写真方式の画像形成装置において、現像剤の搬送に関して以下の特許文献１〜４に記載の技術が知られている。
特許文献１としての特開２００３−２５５７９２号公報及び特許文献２としての特開２００２−３１１７１２号公報には、廃トナーを回収するための搬送路を有する画像形成装置が記載されている。特許文献１，２の画像形成装置では、感光体（Ｄ，２）の表面より掻き落とした廃トナーを、搬送部材（ＨＳａ，４４）により水平方向に搬送し、鉛直方向に延びる搬送路（ＨＰａ，５０）内を落下させ、最終的に回収容器（ＨＴａ，４３）に搬送している。特許文献１，２に記載の技術では、落下する廃トナーが搬送路（ＨＰａ，５０）壁面に付着しないように、剛体またはスプリングなどにより構成された単一の揺動部材（ＴＫ，５５，１５４）を、搬送路（ＨＰａ，５０）内を落下方向に往復運動させることにより、強制的に掻き落としている。
【０００３】
特許文献３としての特開２００３−２９４８６号公報には、上下方向に配置された複数の感光体（１０）と、各感光体（１０）の表面を清掃する複数のクリーニングユニット（１４）と、を有する画像形成装置が記載されている。特許文献３の画像形成装置では、各感光体（１０）表面から掻き落とされた廃棄トナーは、各クリーニングユニット（１４）内に設けられたスクリュー（１７）により水平方向に搬送されている。また、クリーニングユニット（１７）の排出口としての開口部（１４３）が形成された搬送パイプ（１８）は、略垂直なダクト状の回収経路（５１）に異なる高さで接続されており、クリーニングユニット（１４）から排出された廃棄トナーは、回収経路（５１）内を自重のみで落下している。
【０００４】
特許文献４としての特開２００５−９１８４８号公報には、廃トナーや劣化現像剤などの粉粒物が回収される粉粒物回収装置（４００）を有する画像形成装置が記載されている。前記画像形成装置では、感光体（１１）などからの粉粒物は、鉛直方向の管を有する漏斗形状の粉粒物送り部（３３０）を自重により通過した後に、粉粒物回収装置（４００）に回収されている。特許文献４に記載の技術では、粉粒物送り部（３３０）の内部に管を貫通するように単一のオーガ（３３２）を設けて、壁面に沿うなどして管に集まった後の粉粒物を、オーガ（３３２）で誘導し、粉粒物送り部（３３０）を通過させている。
【０００５】
【特許文献１】特開２００３−２５５７９２号公報（「００１０」〜「００１１」、「００１４」、図１、図２）
【特許文献２】特開２００２−３１１７１２号公報（「００２５」〜「００３５」、図２、図３、図６）
【特許文献３】特開２００３−２９４８６号公報（「００１２」、「００４１」〜「００４５」図１、図２）
【特許文献４】特開２００５−９１８４８号公報（「００３９」〜「００４１」、図３、図４）
【発明の開示】
【発明が解決しようとする課題】
【０００６】
本発明は、簡易な構成で現像剤の詰まりを低減することを技術的課題とする。
【課題を解決するための手段】
【０００７】
前記技術的課題を解決するために、請求項１に記載の発明の現像剤搬送装置は、
現像剤が落下する落下路と、
前記落下路内に配置され且つ前記落下路に沿って往復動することで前記落下路内の現像剤を崩す第１崩し部材と、
前記落下路内に配置され且つ前記落下路に沿って往復動することで前記落下路内の現像剤を崩す第２崩し部材と、
を備え、
往復動する前記第１崩し部材が、前記落下路内の現像剤の落下方向下流に移動するときに、前記落下路の内壁面に接触することで、前記落下方向下流側の先端が前記第２崩し部材が配置されている側に傾き、且つ前記落下方向下流に移動する場合に前記第２崩し部材に接触する
ことを特徴とする。
【０００８】
前記技術的課題を解決するために、請求項２に記載の発明の現像剤搬送装置は、
内部を現像剤が落下する第１落下路と、前記第１落下路の現像剤落下方向下流端が合流すると共に内部を現像剤が落下する第２落下路と、を有する落下路と、
前記第１落下路内に配置され且つ前記第１落下路に沿って往復動することで前記第１落下路内の現像剤を崩す第１崩し部材と、
前記第２落下路内に配置され且つ前記第２落下路に沿って往復動することで前記第２落下路内の現像剤を崩す第２崩し部材と、
前記第１崩し部材および前記第２崩し部材を保持し、回転することで前記第１崩し部材および第２崩し部材を往復動させる保持部材と、
を備え、
前記第１落下路の壁面が、前記第２落下路側に傾斜して形成され、
前記保持部材の回転に応じて往復動する前記第１崩し部材が、前記第１落下路内の現像剤の落下方向下流に移動する場合に、前記第１落下路の前記傾斜する壁面に接触することで、前記落下方向下流側の先端が前記第２崩し部材が配置されている側に傾き、且つ、前記第２落下路内の前記第２崩し部材に接触する
ことを特徴とする。
【０００９】
前記技術的課題を解決するために、請求項３に記載の発明の現像剤搬送装置は、
内部を現像剤が落下する第１落下路と、前記第１落下路が合流すると共に内部を現像剤が落下する第２落下路と、前記第１落下路に形成され且つ前記第２落下路側に傾斜して形成された傾斜壁と、を有する落下路と、
前記第１落下路内に配置され、且つ、前記第１落下路に沿って上端の第１上端位置と下端の第１下端位置との間で往復動して、前記第１落下路内の現像剤を崩す第１崩し部材であって、前記第１下端位置において前記傾斜壁に接触して前記落下方向下流側の先端が前記第２崩し部材が配置されている側に傾斜する前記第１崩し部材と、
前記第２落下路内に配置され、且つ、前記第２落下路に沿って上端の第２上端位置と下端の第２下端位置との間で往復動して、前記第２落下路内の現像剤を崩す第２崩し部材であって、前記第１下端位置において前記第２落下路側に傾斜した前記第１崩し部材に接触する第２崩し部材と、
前記第１崩し部材および前記第２崩し部材を保持し、回転することで前記第１崩し部材および第２崩し部材を往復動させる保持部材と、
を備えたことを特徴とする。
【００１０】
請求項４に記載の発明は、請求項２または３に記載の現像剤搬送装置において、
前記保持部材の回転時に回転中心となる回転軸部と、前記回転軸部から径方向に離れた位置に支持され且つ前記第１崩し部材を支持する第１崩し部材支持部と、前記第１崩し部材支持部とは前記保持部材の回転方向に沿って位相が異なる位置に支持され且つ前記第２崩し部材を支持する第２崩し部材支持部と、を有する前記保持部材、
を備えたことを特徴とする。
【００１１】
請求項５に記載の発明は、請求項１ないし３のいずれかに記載の現像剤搬送装置において、
前記第１崩し部材の往復動の移動方向と、前記第２崩し部材の往復動の移動方向とが異なることを特徴とする。
【００１３】
請求項６に記載の発明は、請求項１ないし５のいずれかに記載の現像剤搬送装置において、
前記第１崩し部材の上方に形成されて、前記落下路内に現像剤を流入させる第１流入口を備え、
前記第１流入口から流入する現像剤が、前記落下路の落下方向に垂直な方向に対して、偏って流入すると共に、
往復動する前記第１崩し部材が、偏って流入した側において、落下方向に沿って重力方向で下方に向けて移動する
ことを特徴とする。
【００１５】
請求項７に記載の発明は、請求項１ないし６のいずれかに記載の現像剤搬送装置において、
前記第２崩し部材の上方に形成されて、前記落下路内に現像剤を流入させる第２流入口を備え、
前記第２流入口から流入する現像剤が、前記落下路の落下方向に垂直な方向に対して、偏って流入すると共に、
往復動する前記第２崩し部材が、偏って流入した側において、落下方向に沿って重力方向で下方に向けて移動する
ことを特徴とする。
【００１７】
前記技術的課題を解決するために、請求項８に記載の発明の画像形成装置は、
複数の像保持体と、
前記像保持体表面の潜像を可視像に現像する複数の現像装置と、
前記可視像が転写された後の前記像保持体表面に残留した現像剤を除去して清掃する像保持体清掃器と、
前記像保持体清掃器で除去された残留現像剤を搬送する残留現像剤搬送路と、
前記像保持体に対向して配置され、前記像保持体表面の可視像が転写される中間転写体と、
前記像保持体表面の可視像を前記中間転写体に転写する複数の一次転写器と、
前記中間転写体表面の可視像を媒体に転写する二次転写器と、
前記二次転写器により媒体に可視像が転写された後の前記中間転写体表面に付着した残留現像剤を除去して清掃する中間転写体清掃器と、
前記中間転写体で除去された残留現像剤を搬送する中間転写体用残留現像剤搬送路と、
内部を前記中間転写体用残留現像剤搬送路によって搬送された現像剤が落下する第１落下路と、前記第１落下路の現像剤落下方向下流端が合流すると共に内部を残留現像剤搬送路によって搬送された現像剤が落下する第２落下路と、を有する落下路と、
前記第１落下路内に配置され且つ前記第１落下路に沿って往復動することで前記第１落下路内の現像剤を崩す第１崩し部材と、
前記第２落下路内に配置され且つ前記第２落下路に沿って往復動することで前記第２落下路内の現像剤を崩す第２崩し部材と、
前記第１崩し部材および前記第２崩し部材を保持し、回転することで前記第１崩し部材および第２崩し部材を往復動させる保持部材と、
を備え、
前記第１落下路の壁面が、前記第２落下路側に傾斜して形成され、
前記保持部材の回転に応じて往復動する前記第１崩し部材が、前記第１落下路内の現像剤の落下方向下流に移動する場合に、前記第１落下路の前記傾斜する壁面に接触することで、前記落下方向下流側の先端が前記第２崩し部材が配置されている側に傾き、且つ、前記第２落下路内の前記第２崩し部材に接触する
ことを特徴とする。
【発明の効果】
【００１８】
請求項１ないし３のいずれかに記載の発明によれば、第１崩し部材と第２崩し部材が接触せずに往復動する場合に比べて、簡易な構成で現像剤の詰まりを低減することができる。
請求項４または５に記載の発明によれば、接触時の第１崩し部材と第２崩し部材の移動方向が異なり、本構成を有しない場合に比べ、接触時の振動を大きくすることができる。
【００１９】
請求項６に記載の発明によれば、第１流入口から流入する現像剤量が多い領域において、第１崩し部材が落下方向上方に向けて移動することによって発生する第１流入口から流入したトナーが舞い上がることを低減することができる。
請求項７に記載の発明によれば、第２流入口から流入する現像剤量が多い領域において、第２崩し部材が落下方向上方に向けて移動することによって発生する第２流入口から流入したトナーが舞い上がることを低減することができる。
【００２０】
請求項８に記載の発明によれば、第２落下路に合流する第１落下路に配置された第１崩し部材が、第２崩し部材に接触する際の振動が第２崩し部材の振動に比べて大きい場合には、複数回転写領域を通過した後に中間転写体で除去された残留現像剤を、振動が大きな第１崩し部材により崩すことができる。
【発明を実施するための最良の形態】
【００２１】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
図１は本発明の実施例１の画像形成装置の全体説明図である。
図１において、画像形成装置の一例としての複写機Ｕは、操作部ＵＩ、画像入力装置Ｕ１、媒体供給装置Ｕ２、画像形成装置本体Ｕ３、および用紙処理装置Ｕ４を有している。
【００２２】
（操作部）
操作部ＵＩは、複写開始や複写枚数の設定などに用いられる入力釦ＵＩａを有する。また、前記操作部ＵＩは、前記入力釦ＵＩａにより入力された内容や、複写機Ｕの状態が表示される表示器ＵＩｂを有する。
【００２３】
（画像入力装置）
画像入力装置Ｕ１は、自動原稿搬送装置、画像読込装置などにより構成されており、配置された原稿に光を当て、その反射光を個体撮像素子で受け、赤Ｒ、緑Ｇ、青Ｂの画像情報に変換し、所定の時期、いわゆるタイミングで、画像形成装置本体Ｕ３に入力する。
【００２４】
（媒体供給装置）
媒体供給装置Ｕ２は、媒体収容容器の一例としての複数の給紙トレイＴＲ１，ＴＲ２，ＴＲ３，ＴＲ４を有している。また、前記媒体供給装置Ｕ２は、前記各給紙トレイＴＲ１〜ＴＲ４に収容された画像記録用の媒体の一例としての記録用紙Ｓを取り出して、画像形成装置本体Ｕ３に搬送する媒体供給路ＳＨ１等を有している。
（画像形成装置本体）
図１において、画像形成装置本体Ｕ３は、前記媒体供給装置Ｕ２から搬送された記録用紙Ｓに画像記録を行う画像記録部、現像剤補給装置Ｕ３ａ、および用紙搬送路ＳＨ２、用紙排出路ＳＨ３、用紙反転路ＳＨ４、用紙循環路ＳＨ６等を有している。
また、画像形成装置本体Ｕ３は、制御部Ｃ、および前記制御部Ｃにより制御される潜像形成装置駆動回路の一例としてのレーザ駆動回路Ｄおよび電源回路Ｅ等を有している。前記レーザ駆動回路Ｄは、前記画像入力装置Ｕ１から入力された赤Ｒ、緑Ｇ、青Ｂの画像情報に基づいて、Ｙ（イエロー）、Ｍ（マゼンタ）、Ｃ（シアン）、Ｋ（黒）の画像情報に変換し、それに応じた駆動信号を所定のタイミングで、各色の潜像形成装置ＲＯＳy，ＲＯＳm，ＲＯＳc，ＲＯＳkに出力する。
【００２５】
前記各色の潜像形成装置ＲＯＳy，ＲＯＳm，ＲＯＳc，ＲＯＳkの下方には、引出部材の一例としての可視像形成装置用ドロワＵ３ｂが左右一対の案内部材の一例としてのスライドレールＲ１，Ｒ１により、画像形成装置本体Ｕ３の前方に引き出された引出位置と画像形成装置本体Ｕ３内部に装着された装着位置との間で移動可能に支持されている。
【００２６】
図２は可視像形成装置及び中間転写体清掃器の拡大説明図である。
図１、図２において、像保持体ユニットの一例としてのＫ色の感光体ユニットＵＫは、像保持体の一例としての感光体ドラムＰｋ、帯電器の一例としての帯電用コロトロンＣＣk、および像保持体清掃器の一例としてのクリーナＣＬｋを有している。そして、他の色Ｙ，Ｍ，Ｃの感光体ユニットＵＹ，ＵＭ，ＵＣは、感光体ドラムＰｙ，Ｐｍ，Ｐｃ、帯電器の一例としての帯電ロールＣＲy，ＣＲm，ＣＲc、クリーナＣＬｙ，ＣＬｍ，ＣＬｃを有している。
前記Ｋ色の感光体ユニットＵＫと現像ロールＲ０ｋを有する現像装置ＧＫとによりＫ色の可視像形成装置ＵＫ＋ＧＫが構成される。同様に、Ｙ，Ｍ，Ｃの感光体ユニットＵＹ，ＵＭ，ＵＣと、現像ロールＲ０ｙ，Ｒ０ｍ，Ｒ０ｃを有する現像装置ＧＹ，ＧＭ，ＧＣとによりそれぞれＹ，Ｍ，Ｃの可視像形成装置ＵＹ＋ＧＹ，ＵＭ＋ＧＭ，ＵＣ＋ＧＣが構成される。
前記可視像形成装置用ドロワＵ３ｂには、前記感光体ユニットＵＹ，ＵＭ，ＵＣ，ＵＫおよび現像装置ＧＹ，ＧＭ，ＧＣ，ＧＫが着脱可能に装着されている。
【００２７】
図１、図２において、Ｋ色の感光体ドラムＰｋはＫ色のみの画像出力が多いので、他の色の感光体ドラムＰｙ〜Ｐｃに比較して使用頻度が多く、表面の磨耗が多い。このため、感光体ドラムＰｋの直径は、他の感光体ドラムＰｙ〜Ｐｃに比較して大径に形成されている。
また、前記Ｋ色の帯電用コロトロンＣＣｋは、Ｋ色の画像のみを高速に出力する際に感光体ドラムＰｋを高速に帯電させるため、Ｙ，Ｍ，Ｃの帯電ロールＣＲy，ＣＲm，ＣＲcのような接触型帯電部材ではなく、帯電用放電部材により構成されている。
【００２８】
図１において、感光体ドラムＰｙ，Ｐｍ，Ｐｃ，Ｐｋは、それぞれ帯電ロールＣＲy，ＣＲm，ＣＲcおよび帯電用コロトロンＣＣkにより一様に帯電された後、前記潜像形成装置ＲＯＳy，ＲＯＳm，ＲＯＳc，ＲＯＳkの出力する潜像書込光の一例としてのレーザビームＬｙ，Ｌｍ，Ｌｃ，Ｌｋによりその表面に静電潜像が形成される。前記感光体ドラムＰｙ，Ｐｍ，Ｐｃ，Ｐｋ表面の静電潜像は、現像装置Ｇｙ，Ｇｍ，Ｇｃ，ＧｋによりＹ（イエロー）、Ｍ（マゼンタ）、Ｃ（シアン）、Ｋ（黒）の色の可視像の一例としてのトナー像に現像される。
【００２９】
前記現像装置ＧＫ〜ＧＹにおいて、現像により消費された現像剤は、前記現像剤補給装置Ｕ３ａに着脱可能に装着される現像剤収容容器の一例としてのトナーカートリッジＫｋ，Ｋｍ，Ｋｃ，Ｋｙから補給される。実施例１では、前記現像剤としてトナーとキャリアを含む二成分現像剤を使用しており、トナーカートリッジＫｋ，Ｋｍ，Ｋｃ，Ｋｙからは、現像装置ＧＫ〜ＧＹのトナー濃度よりもトナーの割合の多い、いわゆる高濃度現像剤が補給される。したがって、実施例１の現像装置ＧＫ〜ＧＹでは、少量のキャリアを含む高濃度現像剤を補給しつつ、劣化したキャリアを含む現像剤を現像装置ＧＫ〜ＧＹから、少しずつ排出することで、キャリアの交換を行っている。なお、このようなキャリアを少しずつ交換する技術は、従来公知であり、例えば、特開２０００−８１７８７号公報、特開２００３−８４５７０号公報などに記載されているため詳細な説明は省略する。
【００３０】
感光体ドラムＰｙ，Ｐｍ，Ｐｃ，Ｐｋ表面上のトナー像は、一次転写器の一例としての１次転写ロールＴ１y，Ｔ１m，Ｔ１c，Ｔ１kにより、中間転写体の一例としての中間転写ベルトＢ上に順次重ねて転写され、中間転写ベルトＢ上に多色画像が形成される。中間転写ベルトＢ上に形成された多色可視像の一例としてのカラートナー像は、２次転写領域Ｑ４に搬送される。
なお、Ｋ色の画像情報のみの場合はＫ色の感光体ドラムＰｋおよび現像装置ＧＫのみが使用され、Ｋ色のトナー像のみが形成される。
【００３１】
１次転写後、感光体ドラムＰｋ，Ｐｃ，Ｐｍ，Ｐｙの表面に付着した残留現像剤や紙粉等の残留物は、前記クリーナＣＬｋ，ＣＬｃ，ＣＬｍ，ＣＬｙにより除去される。そして、感光体ドラムＰｋ〜Ｐｃから除去された残留物は、前記クリーナＣＬｋ，ＣＬｃ，ＣＬｍ，ＣＬｙの下方に設けられた残留物搬送部材ＣＬｋ１，ＣＬｃ１，ＣＬｍ１，ＣＬｙ１により、クリーナＣＬｋ〜ＣＬｙ外に搬出され、画像形成装置本体Ｕ３の後方に搬送される。
【００３２】
前記可視像形成装置用ドロワＵ３ｂの下方には、引出部材の一例としての中間転写装置用ドロワＵ３ｃが画像形成装置本体Ｕ３の前方に引き出された引出位置と画像形成装置本体Ｕ３内部に装着された装着位置との間で移動可能に支持されている。前記中間転写装置用ドロワＵ３ｃにより中間転写装置の一例としてのベルトモジュールＢＭが、前記感光体ドラムＰｙ，Ｐｍ，Ｐｃ，Ｐｋの下面に接触する上昇位置と前記下面から下方に離れた下降位置との間で昇降可能に支持されている。
ベルトモジュールＢＭは、前記中間転写ベルトＢと、中間転写体駆動部材の一例としての駆動ロールＲｄ、張力発生部材の一例としてのテンションロールＲｔ、蛇行防止部材の一例としてのウォーキングロールＲｗ、従動部材の一例としての複数のアイドラロールＲｆおよび二次転写対向部材の一例としてのバックアップロールＴ２aにより構成される中間転写部材支持部材の一例としてのベルト支持ロールＲｄ＋Ｒｔ＋Ｒｗ＋Ｒｆ＋Ｔ２ａと、前記１次転写ロールＴ１y，Ｔ１m，Ｔ１c，Ｔ１kと、を有している。そして、前記中間転写ベルトＢは前記ベルト支持ロールＲｄ＋Ｒｔ＋Ｒｗ＋Ｒｆ＋Ｔ２ａにより矢印Ｙａ方向に回転移動可能に支持されている。
【００３３】
前記バックアップロールＴ２aの下方には、２次転写ユニットＵｔが配置されている。前記２次転写ユニットＵｔの二次転写部材の一例としての２次転写ロールＴ２bは、前記中間転写ベルトＢを挟んでバックアップロールＴ２aに離隔および圧接可能に配置されており、前記２次転写ロールＴ２bが中間転写ベルトＢと圧接する領域により２次転写領域Ｑ４が形成されている。また、前記バックアップロールＴ２aには接触給電部材の一例としてのコンタクトロールＴ２cが当たって接触している。前記コンタクトロールＴ２cには、制御部Ｃにより制御される電源回路Ｅから所定のタイミングでトナーの帯電極性と同極性の２次転写電圧が印加される。
前記バックアップロールＴ２ａ，２次転写ロールＴ２ｂ及びコンタクトロールＴ２ｃにより、二次転写器Ｔ２ａ＋Ｔ２ｂ＋Ｔ２ｃが構成されている。
【００３４】
前記ベルトモジュールＢＭ下方には用紙搬送路ＳＨ２が配置されている。前記媒体供給装置Ｕ２の媒体供給路ＳＨ１から給紙された記録用紙Ｓは、前記用紙搬送路ＳＨ２の搬送時期調整部材の一例としてのレジロールＲｒに搬送されて、カラートナー像が２次転写領域Ｑ４に搬送されるのにタイミングを合わせて案内部材の一例としてのレジ側用紙ガイドＳＧr、転写前用紙ガイドＳＧ２を通って２次転写領域Ｑ４に搬送される。
なお、レジ側用紙ガイドＳＧrはレジロールＲｒとともに、画像形成装置本体Ｕ３に固定されている。
前記中間転写ベルトＢ上のカラートナー像は、前記２次転写領域Ｑ４を通過する際に前記二次転写器Ｔ２ａ＋Ｔ２ｂ＋Ｔ２ｃにより前記記録用紙Ｓに転写される。なお、多色画像の場合は中間転写ベルトＢ表面に重ねて１次転写されたトナー像が一括して記録用紙Ｓに２次転写される。
前記１次転写ロールＴ１ｙ〜Ｔ１ｋ、二次転写器Ｔ２ａ＋Ｔ２ｂ＋Ｔ２ｃ、中間転写ベルトＢにより、実施例１の転写装置Ｔ１ｙ〜Ｔ１ｋ＋Ｔ２ａ＋Ｔ２ｂ＋Ｔ２ｃ＋Ｂが構成されている。
【００３５】
２次転写後の前記中間転写ベルトＢは、中間転写ベルトＢの右側下方に設けられた中間転写体清掃器の一例としてのベルトクリーナＣＬBにより清掃される。前記ベルトクリーナＣＬＢにより、２次転写時に使用されず残った中間転写ベルトＢ上の現像剤や紙粉などの残留物が、中間転写ベルトＢから除去され、画像形成装置本体Ｕ３の後側に搬送される。なお、前記２次転写ロールＴ２bおよびベルトクリーナＣＬBは、中間転写ベルトＢと離隔および接触自在に配置されている。
【００３６】
トナー像が２次転写された前記記録用紙Ｓは、転写後用紙ガイドＳＧ2、搬送部材の一例としての媒体搬送ベルトＢＨを通って、定着装置Ｆの定着ロールＦｈと加圧定着部材の一例としての加圧ロールＦｐとが圧接する領域である定着領域Ｑ５に搬送される。前記記録用紙Ｓ上のトナー像は、定着領域Ｑ５を通過する際に、定着装置Ｆにより加熱定着される。前記定着装置Ｆの下流側には、切替部材の一例としての切替ゲートＧＴ１が設けられている。前記切替ゲートＧＴ１は、用紙搬送路ＳＨ２を搬送されて定着領域Ｑ５で加熱定着された記録用紙Ｓを、用紙処理装置Ｕ４の用紙排出路ＳＨ３または用紙反転路ＳＨ４側のいずれかに、利用者の指示に応じて、選択的に切り替える。前記用紙排出路ＳＨ３に搬送された用紙Ｓは、用紙処理装置Ｕ４の用紙搬送路ＳＨ５に搬送され、前記用紙搬送路ＳＨ５に配置された媒体反り補正部材の一例としてのカール補正部材Ｕ４ａにより、用紙Ｓの反りである、いわゆるカールを補正された後、媒体排出部材の一例としての排出ロールＲｈから用紙処理装置Ｕ４の媒体排出部の一例としての排出トレイＴＨ１に用紙の画像定着面が上向きで排出される。
【００３７】
前記切替ゲートＧＴ１により画像形成装置本体Ｕ３の前記用紙反転路ＳＨ４側に搬送された用紙Ｓは、可撓性切替部材の一例としてのマイラーゲートＧＴ２を通って画像形成装置本体Ｕ３の前記用紙反転路ＳＨ４に搬送される。
このとき、記録用紙Ｓの画像定着面を下向きに排出する場合には、前記マイラーゲートＧＴ２を記録用紙Ｓの後端が通過した直後に、前記記録用紙Ｓを反転させる。この際に、前記マイラーゲートＧＴ２は、用紙反転路ＳＨ４に搬送されてきた記録用紙Ｓをそのまま一旦通過させ、通過した記録用紙Ｓが反転されてくると、用紙搬送路ＳＨ３，ＳＨ５側に搬送する。そして、前記記録用紙Ｓは、画像定着面が下を向いた状態で排出トレイＴＨ１に排出される。
【００３８】
前記画像形成装置本体Ｕ３の用紙反転路ＳＨ４の途中には用紙循環路ＳＨ６が接続されており、その接続部にはマイラーゲートＧＴ３が配置されている。前記画像形成装置本体Ｕ３の用紙反転路ＳＨ４の下流端は、用紙処理装置Ｕ４の用紙反転路ＳＨ７に接続されている。
前記切替ゲートＧＴ１を通って用紙搬送路ＳＨ４に搬送された記録用紙Ｓは、前記マイラーゲートＧＴ３により前記用紙処理装置Ｕ４の用紙反転路ＳＨ７側に搬送される。前記マイラーゲートＧＴ３は用紙反転路ＳＨ４を搬送されてきた記録用紙Ｓをそのまま一旦通過させ、通過した記録用紙Ｓが反転されてくると、用紙循環路ＳＨ６側に搬送する。
前記用紙循環路ＳＨ６に搬送された記録用紙Ｓは前記給紙路ＳＨ１を通って前記転写領域Ｑ４に再送され、両面印刷が行われ用紙処理装置Ｕ４に搬送され、排出トレイＴＨ１に排出される。
前記符号ＳＨ１〜ＳＨ７で示された要素により用紙搬送路ＳＨが構成されている。また、前記符号ＳＨ，Ｒａ，Ｒｒ，Ｒｈ，ＳＧr，ＳＧ1，ＳＧ2，ＢＨ、ＧＴ１〜ＧＴ３で示された要素により用紙搬送装置ＳＵが構成されている。
【００３９】
（廃現像剤搬送装置）
図３は実施例１の廃現像剤搬送装置と画像形成装置本体とを後方から見た要部斜視図である。
図４は実施例１の廃現像剤搬送装置の説明図であり、図４Ａは廃現像剤搬送装置の斜視図、図４Ｂは図４ＡにおけるＩＶＢ−ＩＶＢ線による要部断面図、図４Ｃは図４ＢにおけるＩＶＣ−ＩＶＣ線による要部断面図である。
図３、図４において、前記画像形成装置本体Ｕ３の後方には、現像剤搬送装置の一例としての廃現像剤搬送装置ＵＨが支持されている。前記廃現像剤搬送装置ＵＨは、画像形成装置本体Ｕ３から排出された現像剤が搬送される感光体用搬送部ＵＨ１と、感光体用搬送部ＵＨ１からの現像剤が搬送される落下搬送部ＵＨ２と、落下搬送部ＵＨ２を通過した現像剤が回収される廃現像剤回収部ＵＨ３と、を有する。
【００４０】
前記感光体用搬送部ＵＨ１は、左右方向に延びる枠体の一例としてのメインフレーム１０１を有する。前記メインフレーム１０１には、左右方向に所定の間隔をあけて、搬送路接続部１０１ａ，１０１ｂ，１０１ｃ，１０１ｄ，１０１ｅが、左方から順に形成されている。
前記メインフレーム１０１には、メインフレーム１０１に沿って延びる第２現像剤搬送路の一例としての感光体用搬送路１０２が支持されている。前記第１の搬送路接続部１０１ａには、Ｋ色の可視像形成装置ＵＫ＋ＧＫのクリーナＣＬｋから延びる清掃器用搬送路１０３ｋが、感光体用搬送路１０２の上方に交差するように接続された状態で支持されている。前記第２の搬送路接続部１０１ｂには、Ｋ色の可視像形成装置ＵＫ＋ＧＫの感光体ドラムＰｋから延びる現像装置用搬送路１０４ｋと、Ｃ色の可視像形成装置ＵＣ＋ＧＣのクリーナＣＬｃから延びる清掃器用搬送路１０３ｃと、が感光体用搬送路１０２の上方に交差するように接続された状態で支持されている。
【００４１】
同様に、前記第３の搬送路接続部１０１ｃには、感光体用搬送路１０２に接続されるＣ色の現像装置用搬送路１０４ｃと、Ｍ色の清掃器用搬送路１０３ｍと、が支持されており、前記第４の搬送路接続部１０１ｄには、感光体用搬送路１０２に接続されるＭ色の現像装置用搬送路１０４ｍと、Ｙ色の清掃器用搬送路１０３ｙと、が支持されている。そして、前記第５の搬送路接続部１０１ｅには、Ｙ色の現像装置用搬送路１０４ｙが、感光体用搬送路１０２の上方に交差するように接続された状態で支持されている。
【００４２】
図４において、前記メインフレーム１０１の第１の搬送路接続部１０１ａの左方後側には、駆動歯車の一例としての駆動ギア１１１が支持されている。前記駆動ギア１１１は、図示しない駆動源により回転される。また、第１の搬送路接続部１０１ａには、前記駆動ギア１１１に噛み合う伝達歯車の一例としての伝達ギアＧ１０１が支持されている。前記伝達ギアＧ１０１には、第１の搬送路接続部１０１ａに支持された伝達ギアＧ１０２が、噛み合っている。また、前記伝達ギアＧ１０２は、Ｋ色の清掃器用搬送路１０３ｋ内の図示しない搬送部材に駆動を伝達するＫ色清掃器用排出ギアＧ１０３と噛み合っている。
【００４３】
前記メインフレーム１０１には、前記感光体用搬送路１０２に沿って延びる駆動伝達部材の一例としてのシャフト１１２が支持されている。前記シャフト１１２の左端には、前記伝達ギアＧ１０１に噛み合う歯車部材の一例としてのギア１１２ａが支持されている。また、シャフト１１２には、第２〜第５の搬送路接続部１０１ｂ〜１０１ｅと対応する位置に、中間歯車の一例としての中間ギア１１２ｂ〜１１２ｅが支持されている。前記第１の中間ギア１１２ｂには、第２の搬送路接続部１０１ｂに支持された第２の伝達ギアＧ１１１が噛み合っている。前記第２の伝達ギアＧ１１１は、Ｋ色の現像装置用搬送路１０４ｋ内の図示しない搬送部材に駆動を伝達するＫ色現像装置用排出ギアＧ１１２と、Ｃ色の清掃器用搬送路１０３ｃ内の図示しない搬送部材に駆動を伝達するＣ色清掃器用排出ギアＧ１１３と、に噛み合っている。
【００４４】
同様に、前記第２の中間ギア１１２ｃには、第３の搬送路接続部１０１ｃの第３の伝達ギアＧ１２１が噛み合っており、前記第３の伝達ギアＧ１２１は、Ｃ色の現像装置用搬送路１０４ｃのＣ色現像装置用排出ギアＧ１２２と、Ｍ色の清掃器用搬送路１０３ｍのＭ色清掃器用排出ギアＧ１２３と、に噛み合っている。また、前記第３の中間ギア１１２ｄには、第４の搬送路接続部１０１ｄの第４の伝達ギアＧ１３１が噛み合っており、前記第４の伝達ギアＧ１３１は、Ｍ色の現像装置用搬送路１０４ｍのＭ色現像装置用排出ギアＧ１３２と、Ｙ色の清掃器用搬送路１０３ｙのＹ色清掃器用排出ギアＧ１３３と、に噛み合っている。
【００４５】
図４において、前記第４の中間ギア１１２ｅには、第５の搬送路接続部１０１ｅに支持された第５の伝達ギアＧ１４１が噛み合っており、前記第５の伝達ギアＧ１４１は、Ｙ色の現像装置用搬送路１０４ｙの搬送部材１０６ｙに駆動を伝達するＹ色現像装置用排出ギアＧ１４２に噛み合っている。さらに、前記第５の中間ギア１１２ｅには、感光体用搬送路１０２内の第２搬送部材の一例としての感光体用搬送路オーガ１０７に駆動を伝達する感光体用搬送路ギアＧ１４３が噛み合っている。実施例１では、感光体用搬送路オーガ１０７は回転軸１０７ａの外周に螺旋状の搬送羽根１０７ｂが支持されている。前記搬送羽根１０７ｂは搬送方向に対して右手巻きの螺旋状に形成されており、感光体用搬送路ギアＧ１４３は、図４Ｂにおいて、時計回りに回転するように設定されている。そして、前記第５の中間ギア１１２ｅの下方には、前記落下搬送部ＵＨ２用の駆動伝達部材の一例としてのベルト駆動部材１１４が、配置されている。前記ベルト駆動部材１１４は、第４の中間ギア１１２ｅに噛み合う被伝達部の一例としてのギア部１１４ａと、前記ギア部１１４ａと一体的に回転する無端部材用駆動伝達部材の一例としてのプーリ部１１４ｂと、を有する。
【００４６】
図４Ｂ、図４Ｃにおいて、前記第５の搬送路接続部１０１ｅの前方下側には、中間転写体のためのベルトクリーナＣＬＢから残留物が搬送される第１現像剤搬送路の一例としての中間転写体用搬送路１２１が、ベルトクリーナＣＬＢから後方に延びている。前記中間転写体用搬送路１２１には、第１現像剤搬送部材の一例としてのベルトクリーナ用オーガ１２２が設けられており、図示しない駆動源により駆動する。実施例１では、ベルトクリーナ用オーガ１２２には、回転軸１２２ａの外周に螺旋状の搬送羽根１２２ｂが支持されている。前記搬送羽根１２２ｂは搬送方向に対して右手巻きの螺旋状に形成されており、後側から見て、時計回りに回転するように設定されている。
【００４７】
図５は廃現像剤搬送装置の重力落下部の要部拡大図であり、図５Ａは斜視図、図５Ｂは図５ＡにおけるＶＢ−ＶＢ線断面図、図５Ｃは図５ＡにおけるＶＣ−ＶＣ線断面図、図５Ｄは図５ＣにおけるＶＤ−ＶＤ線断面図である。
図４、図５において、前記落下搬送部ＵＨ２は、略上下方向に延び、上方に比べ下方の径が小さい円錐台状の落下搬送部本体２０１を有する。前記落下搬送部本体２０１は、上方に流入口部２１１と、前記流入口部２１１の下方に一体的に形成された搬送部２２１と、を有する。
【００４８】
図４、図５において、前記流入口部２１１の後方には、上方に突出する第２流入口２１２が形成されている。前記第２流入口２１２は、前後方向に長い長方形状の開口を有した筒状体であり、前記第２流入口２１２には、左方から延びる前記感光体用搬送路１０２が接続されている。また、前記流入口部２１１の前方には、上方に突出する円筒状の第１流入口２１３が形成されている。前記第１流入口２１３には、前方から延びる前記中間転写体用搬送路１２１が接続されている。
【００４９】
前記流入口部２１１の下方の搬送部２２１は、第２流入口２１２の下方に配置された第２の搬送部材の一例としての第２搬送筒２２２を有する。前記第２搬送筒２２２は、左上から右下方向に向って傾斜する下向円錐状に形成されており、それぞれ円弧状の前壁部２２２ａと、後壁部２２２ｂと、左壁部２２２ｃと、右壁部２２２ｄと、下端部の排出円管部２２２ｅと、を有する。図５Ｃ、図５Ｄにおいて、前記第２搬送筒２２２は、断面の円の中心が下方にいくほど前側に片寄る円錐状に形成されている。すなわち、実施例１では、前壁部２２２ａは前後には略傾斜せずに排出円管部２２２ｅまで延びており、後壁部２２２ｂは下方にいくほど前側に傾斜している。前記前壁部２２２ａ、後壁部２２２ｂ、左壁部２２２ｃ、右壁部２２２ｄ及び排出円管部２２２ｅで囲まれた内部空間により、第２落下路の一例としての主搬送路２２２ｆが形成されている。
【００５０】
前記第２搬送筒２２２の上部前側には、第１流入口２１３の下方に配置された第１の搬送部の一例としての第１搬送壁２２３が形成されている。前記第１搬送壁２２３は、内部に第１落下路の一例としての副搬送路２２３ａが形成されている。前記副搬送路２２３ａは、主搬送路２２２ｆの上端部と互いに通じている。図５Ｃにおいて、前記第１搬送壁２２３は、第１流入口２１３の下方に鉛直方向に沿って形成された筒状の第１鉛直壁２２３ｂと、前記第１鉛直壁２２３ｂの下端から下向きの錐状に形成され且つ第２搬送筒２２２の前壁部２２２ａに向かって近づくように傾斜して接続される第１傾斜壁２２３ｃと、を有する。実施例１では、前記第１傾斜壁２２３ｃの傾斜は、第２搬送筒２２２の傾斜に比べ緩やかな傾斜となっている。
【００５１】
前記第２搬送筒２２２の後壁部２２２ｂには、前後方向に貫通する後側軸受部２２４が形成されている。そして、前記第１鉛直壁２２３ｂの前記後側軸受部２２４に対向する位置には、前側軸受部２２５が形成されている。前記後壁部２２２ｂには、崩し部材駆動伝達部材の一例としての軸支持部材２２６が支持されている。前記軸支持部材２２６には、後壁部２２２ｂの外側の外端部に被駆動伝達部材の一例としてのプーリ２２６ａが形成されており、主搬送路２２２ｆの内側の内端部には、軸支持部の一例としてのクランク支持部２２６ｂが形成されている。
【００５２】
前記前側軸受部２２５には、保持部材の一例としてのクランク２２７の一端が回転可能に支持されている。また、前記クランク２２７の他端は、軸支持部材２２６のクランク支持部２２６ｂに固定支持されており、前記軸支持部材２２６と一体的に回転する。
前記クランク２２７は、前記前側軸受部２２５に支持される回転軸部の一例としての回転中心部２２７ａを有する。前記回転中心部２２７ａの後端には、前記副搬送路２２３ａに対応し、且つ、回転中心部２２７ａに対して径方向に突出するように凸形状に折れ曲った第１崩し部材の一例としての第１コイルバネ２２９を支持する第１コイルバネ支持部２２７ｂが形成されている。第１コイルバネ支持部２２７ｂの後端には、前記主搬送路２２２ｆに対応し、回転中心部２２７ａを中心として、第１コイルバネ支持部２２７ｂとは位相が１８０°異なる位置に配置され、且つ、回転中心部２２７ａに対して径方向に突出するように凸形状に折れ曲った第２崩し部材の一例としての第２コイルバネ２２８を支持する第２コイルバネ支持部２２７ｃが形成されている。したがって、前記クランク２２７は、いわゆるダブルクランクシャフトにより構成されている。前記第２コイルバネ支持部２２７ｃ、第１コイルバネ支持部２２７ｂには、それぞれ、所定の間隔をあけて対向して配置された対をなすコイルバネ用移動規制部材２２７ｄが、固定支持されている。
【００５３】
前記第２コイルバネ支持部２２７ｃには、第２コイルバネ２２８が支持されている。前記第２コイルバネ２２８の上端には、第２被支持部の一例としてのＲ字形状の、いわゆるヘアピン形状の第２引掛け部２２８ａが形成されており、第２コイルバネ支持部２２７ｃに引っ掛かっている。前記引掛け部２２８ａは、第２コイルバネ支持部２２７ｃの外径よりも大きな内径を有し、遊びを持った状態で支持されている。したがって、前記第２コイルバネ２２８は、コイルバネ用移動規制部材２２７ｄ間を、前後方向、すなわちクランク２２７の軸方向に移動可能に支持されている。前記引掛け部２２８ａの下端には、線材が螺旋状に巻かれた第２崩し部材の本体の一例としての第２コイルバネ本体２２８ｂが形成されている。
【００５４】
実施例１では、前記第２コイルバネ本体２２８ｂは、クランク２２７に駆動力を伝達する駆動伝達手段の一例であるプーリ２２６をクランク２２７に対して右側に配置した状態で重力方向上方から見たときに重力方向下方に行くにしたがって時計回りに巻くように（以降、右手巻きと表現する。）形成されている。また、前記第２コイルバネ本体２２８ｂは、前記第２搬送筒２２２に沿って延び、第２搬送筒２２２の排出円管部２２２ｅの内径に対応した径をしている。さらに、前記第２コイルバネ本体２２８ｂの長さは、第２コイルバネ２２８が最上方に移動したとき、いわゆる上死点においても、第２搬送筒２２２の下端から、第２コイルバネ本体２２８ｂの下端が突き出る長さに設定されている。したがって、第２コイルバネ本体２２８ｂの外径が、下端の排出円管部２２２ｅの内径に対応しているため、前記第２コイルバネ２２８ｂの下端が排出円管部２２２ｅに接触し、クランク２２７に遊びをもって軸方向に移動自由に支持された第２引掛け部２２８ａを有する第２コイルバネ２２８は、前壁部２２２ａに沿って傾斜した状態で配置される。
【００５５】
第１コイルバネ支持部２２７ｂには、第１コイルバネ２２９が支持されている。前記第１コイルバネ２２９の上端には、第１被支持部の一例として、前記第２引掛け部２２８ａと同様の第１引掛け部２２９ａが形成されており、第１コイルバネ支持部２２７ｂに、前記第２引掛け部２２８ａと同様に引っ掛かっている。したがって、前記第１コイルバネ２２９は、第２コイルバネ２２８と同様に、クランク２２７の軸方向に移動可能に支持されている。
【００５６】
前記引掛け部２２９ａの下端には、線材が螺旋状に巻かれた第１コイルバネ本体２２９ｂが形成されている。実施例１の第１コイルバネ本体２２９ｂは、クランク２２７に駆動力を伝達する駆動伝達手段の一例であるプーリ２２６をクランク２２７に対して右側に配置した状態で重力方向上方から見たときに重力方向下方に行くにしたがって反時計回りに巻くように（以降、左手巻きと表現する。）形成されており、前記第１コイルバネ本体２２９ｂの径Ｄは、前記第２コイルバネ本体２２８ｂの巻き間隔、いわゆるピッチＰよりも大きく設定されている。また、前記第１コイルバネ本体２２９ｂの長さは、第１コイルバネ支持部２２７ｂが重力方向上端に回転した、いわゆる上死点において、第１コイルバネ本体２２９ｂの下端が、第１搬送壁２２３の第１傾斜壁２２３ｃに接触可能であり、第１コイルバネ支持部２２７ｂが重力方向下端に回転した、いわゆる下死点において、第１コイルバネ本体２２９ｂの下端側が第１傾斜壁２２３ｃに沿って案内されて、主搬送路２２２ｆに進入し、主搬送路２２２ｆ内の第２コイルバネ本体２２８ｂと交差可能な長さに設定されている。
【００５７】
前記落下搬送部ＵＨ２の主搬送路２２２ｆが接続される廃現像剤回収部ＵＨ３は、後方に延びる廃現像剤搬送部３０１を有する。前記廃現像剤搬送部３０１の後端上方には、被駆動伝達部材の一例としてのプーリ３０２が支持されている。前記プーリ３０２は、廃現像剤搬送部３０１内の現像剤を前方に搬送する図示しない搬送部材に駆動を伝達する。前記廃現像剤搬送部３０１の前方には、回収容器３０３が支持されており、前記回収容器３０３には、廃現像剤搬送部３０１からの現像剤、残留物が回収される。
【００５８】
前記感光体用搬送部ＵＨ１、落下搬送部ＵＨ２及び廃現像剤回収部ＵＨ３により、廃現像剤搬送装置ＵＨが構成されている。前記廃現像剤搬送装置ＵＨにおいて、感光体用搬送部ＵＨ１のプーリ部１１４ｂ、落下搬送部ＵＨ２のプーリ２２６ａ及び廃現像剤回収部ＵＨ３のプーリ３０２には、帯状駆動伝達部材の一例としての駆動ベルト３０４が巻かれており、感光体用搬送部ＵＨ１の駆動ギア１１１の回転によりプーリ部１１４ｂが回転すると、駆動ベルト３０４を介して、プーリ２２６ａ、プーリ３０２が回転する。なお、実施例１では、後方から見て、前記プーリ２２６ａは反時計回りに回転するように設定されている。
【００５９】
（実施例１の作用）
図６は後方から見た保持部材、第１崩し部材、第２崩し部材の作用説明図であり、
図６Ａは第２コイルバネが主搬送路に沿って最大まで下方に突出した状態の説明図、
図６Ｂは図６Ａからクランクが３０°移動した状態の説明図、
図６Ｃは図６Ｂからクランクが３０°移動した状態の説明図、
図６Ｄは図６Ｃからクランクが３０°移動した状態の説明図で第２コイルバネが主搬送路の左壁部に最も近づく状態の説明図、
図６Ｅは図６Ｄからクランクが３０°移動した状態の説明図、
図６Ｆは図６Ｅからクランクが３０°移動した状態の説明図で第２コイルバネに第１コイルバネが接触する際の状態の説明図、
図６Ｇは図６Ｆからクランクが３０°移動した状態の説明図で第２コイルバネが主搬送路に沿って最大まで上方に移動した状態の説明図、
図６Ｈは図６Ｇからクランクが３０°移動した状態の説明図で第２コイルバネから第１コイルバネが離れる際の状態の説明図、
図６Ｉは図６Ｈからクランクが３０°移動した状態の説明図、
図６Ｊは図６Ｉからクランクが３０°移動した状態の説明図で第２コイルバネが主搬送路の右壁部に最も近づく状態の説明図、
図６Ｋは図６Ｊからクランクが３０°移動した状態の説明図、
図６Ｌは図６Ｋからクランクが３０°移動した状態の説明図でクランクがあと３０°移動すると１周する状態の説明図である。
図７は図４Ｃの保持部材、第１崩し部材、第２崩し部材の、要部の作用説明図であり、図７Ａ〜図７Ｌは、クランクが３０°ずつ移動した図６Ａ〜図６Ｌに対応する状態の作用説明図である。
図８は保持部材、第１崩し部材、第２崩し部材を、右上前方から見た作用説明図であり、図８Ａ〜図８Ｌは、クランクが３０°ずつ移動した図６Ａ〜図６Ｌに対応する状態の作用説明図である。
【００６０】
前記構成を備えた実施例１の画像形成装置Ｕにおいて、画像形成動作に伴い、廃現像剤搬送装置ＵＨが駆動する。すなわち、前記感光体用搬送部ＵＨ１の駆動ギア１１１が駆動すると、シャフト１１２、各伝達ギアＧ１０１〜Ｇ１５１を介して、各色の現像装置用排出ギアＧ１０２〜Ｇ１５２、各色の清掃器用排出ギアＧ１０３〜Ｇ１４３、感光体用搬送路用ギアＧ１４３及びベルト駆動部材１１４が駆動する。また、ベルト駆動部材１１４のプーリ部１１４ｂにより、駆動ベルト３０４を介して、プーリ２２６ａ、プーリ３０２が回転する。
【００６１】
これにより、クリーナＣＬｋ〜ＣＬｙにより感光体ドラムＰｋ〜Ｐｙから回収された残留物は、清掃器用搬送路１０３ｋ〜１０３ｙを通過して、感光体用搬送路１０２まで搬送される。また、現像装置ＧＫ〜ＧＹから排出された劣化したキャリアを含む現像剤は、現像装置用搬送路１０４ｋ〜１０４ｙを通過して、感光体用搬送路１０２まで搬送される。そして、感光体用搬送路１０２に搬送された、いわゆる廃現像剤は、感光体用搬送路１０２を通過して、落下搬送部ＵＨ２の落下搬送部本体２０１に搬送される。この際に、右手巻きに構成され且つ図４Ｂにおいて時計回りに回転する前記感光体用搬送路オーガ１０２ａにより搬送される廃現像剤は、感光体用搬送路１０２前側に偏った状態で搬送され、第２流入口２１２に流入する。したがって、落下搬送部ＵＨ２において、感光体用搬送路１０２から第２流入口２１２に流入した実施例１の廃現像剤は、主搬送路２２２ｆ内に落下する際に、プーリ２２６ａが支持されている後側軸受部２２４から離れた、第２コイルバネ２２８の配置されている前壁部２２２ａ側に落下する。これにより、廃現像剤が後側軸受部２２４に付着して第２流入口２１２を塞ぐおそれが低減されている。
【００６２】
一方、中間転写体クリーナＣＬＢにより中間転写ベルトＢから除去された残留物は、中間転写体用搬送路１２１を通過して、落下搬送部ＵＨ２に搬送される。この際に、右手巻きに構成され且つ後方から見て時計回りに回転する中間転写体側オーガ１２２ａにより搬送される残留物は、中間転写体用搬送路１２１右側に偏った状態で搬送され、第１流入口２１３に流入する。したがって、落下搬送部ＵＨ２において、中間転写体用搬送路２１１から第１流入口２１３に流入する実施例１の残留物は、後側軸受部２２４から離れた副搬送路２２３ａ内を落下する際に、副搬送路２２３ａ右側を主に落下する。
【００６３】
第２流入口２１２から流入して、主搬送路２２２ｆ内を落下する廃現像剤は、図５Ｂ、図７において、鉛直方向下側になる傾斜する左壁部２２２ｃに沿って落下し、排出円管部２２２ｅに搬送される。また、第１流入口２１３から流入した残留物は、副搬送路２２３ａの第１傾斜壁２２３ｃに沿って落下して、主搬送路２２２ｆに合流し、主搬送路２２２ｆを落下し、排出円管部２２２ｅに搬送される。
排出円管部２２２ｅに搬送された廃現像剤は、廃現像剤回収部ＵＨ３の廃現像剤搬送部３０１に搬送される。そして、前記廃現像剤は、廃現像剤搬送部３０１により、回収容器３０３に搬送され、回収される。
【００６４】
図６〜図８において、実施例１の廃現像剤搬送装置ＵＨでは、前記落下搬送部ＵＨ２において、第２コイルバネ２２８及び第１コイルバネ２２９が支持されているクランク２２７が、プーリ２２６ａにより、図６に示すように、後方から見て反時計回りに回転する。したがって、クランク２２７に回転可能に支持された第２コイルバネ２２８は、主搬送路２２２ｆに沿って往復移動をすると共に、第１コイルバネ２２９は、副搬送路２２３ａ内を往復移動する。よって、主搬送路２２２ｆ及び副搬送路２２３ａ内の現像剤が壁面に付着して、塊状となった現像剤が崩される。すなわち、主搬送路２２２ｆや副搬送路２２３ａ内が現像剤によって塞がれることが低減されている。
【００６５】
また、前記副搬送路２２３ａにおいて、第１コイルバネ２２９は、副搬送路２２３ａの右側を下方に移動し、副搬送路２２３ａの左側を上方に移動する。そして、第１コイルバネ２２９は副搬送路２２３ａの右側を下方に移動する際に、第１コイルバネ本体２２９ｂ下端が第１傾斜壁２２３ｃに接触して案内されて、主搬送路２２２ｆ内に進入する。したがって、第１流入口２１３から流入した残留物が偏って落下する副搬送路２２３ａ右側を下方に移動する第１コイルバネ２２９により、副搬送路２２３ａ内の現像剤は崩されながら、主搬送路２２２ｆへ掻き出されるように搬送される。よって、上方の第１流入口２１３から偏って流入する側で第１コイルバネ２２９が上方に移動する場合に比べて、流入した現像剤が舞い上がって、いわゆるクラウド状となることが低減される。したがって、舞い上がった現像剤の壁面への付着が低減され、前側軸受部２２５に付着してクランク２２７の回転への悪影響が低減されると共に、第１コイルバネ２２９により現像剤の搬送が補助される。
【００６６】
また、前記第１コイルバネ２２９は主搬送路２２２ｆ内に進入すると、図６Ｆ〜図６Ｈ、図７Ｆ〜図７Ｈ、図８Ｆ〜図８Ｈに示すように、第２コイルバネ本体２２８ｂに第１コイルバネ本体２２９ｂが接触する。これにより、第２コイルバネ２２８および第１コイルバネ２２９には、クランク２２７による右上方と左下方との間の周期的な往復移動に加えて、振動、揺動による非周期的な動きが付与される。したがって、周期的な往復運動のみの崩し部材に比べて、効率的に現像剤が崩され、現像剤の詰まりが低減されている。さらに、第２コイルバネ２２８、第１コイルバネ２２９は、遊びをもってクランク２２７に支持されており、遊びがない場合に比べて非周期的な動きをし易い。また、第２コイルバネ２２８と第１コイルバネ２２９が振動、揺動して、第２コイルバネ２２８、第１コイルバネ２２９自体に付着した現像剤も揺り落とされ、塊状に成長することが低減されている。
【００６７】
さらに、実施例１の画像形成装置Ｕでは、中間転写体クリーナＣＬＢで回収される残留現像剤は、一次転写領域Ｑ３ｙ〜Ｑ３ｋおよび二次転写領域Ｑ４を通過する際に、複数回転写電圧を受けている。したがって、中間転写体クリーナＣＬＢで回収されて、第１流入口２１３に流入する現像剤は、一度しか転写領域を通過しない像保持体Ｐｙ〜Ｐｋ用のクリーナＣＬｙ〜ＣＬｋで回収された現像剤に比べて、流動性が悪く、詰まり易い。これに対して、実施例１では、中間転写体クリーナＣＬＢで回収されて、第１流入口２１３に流入する流動性が比較的低い現像剤は、第２コイルバネ２２８に比べて長さが短く軽量で、接触時の振動が大きい第１コイルバネ２２９により崩されており、現像剤の詰まりが低減されている。
【００６８】
図６Ｆ〜図６Ｈ、図７Ｆ〜図７Ｈ、図８Ｆ〜図８Ｈに示すように、第２コイルバネ２２８と第１コイルバネ２２９が接触する際に、第２コイルバネ２２８は右上方に移動し、第１コイルバネ２２９は、左下方に向けて互いに近づくように移動している。このとき、第１コイルバネはＹから−Ｙに向けて移動しながら第２コイルバネ２２８に接触していくので、第２コイルバネ本体２２８ｂは、接触した前記第１コイルバネ２２７が前記第２コイルバネ２２８に対して相対移動する方向に沿って案内する巻き方向に巻かれたとなる右手巻きの螺旋状に形成されており、第１コイルバネ２２９との接触後、第２コイルバネ２２８が右上方、第１コイルバネ２２９が左下方に移動すると、第２コイルバネ本体２２８ｂの線材により形成される傾斜に沿った方向に案内されるように移動する。したがって、第２コイルバネ２２８が右手巻きとは逆方向に巻かれた左手巻きの場合に比べて、第１コイルバネ２２９が第２コイルバネ２２８に接触したときの衝突を緩和し、寿命が短くなることが低減されると共に、螺旋状の第２コイルバネ２２８と第１コイルバネ２２９の線材が絡み合って移動不能になることが低減されている。
【００６９】
また、第２コイルバネ本体２２８ｂのピッチＰよりも大きい径Ｄの第１コイルバネ本体２２９ｂは、第２コイルバネ本体２２８ｂの線材の１巻き分の間に、第１コイルバネ２２９が第２コイルバネに２２８に対して垂直に傾斜して、下端全体が進入して絡むことが低減されている。これにより、図６Ｆ〜図６Ｈ、図７Ｆ〜図７Ｈ、図８Ｆ〜図８Ｈにおいて、第１コイルバネ本体２２９ｂの下端の一部が接触し、第２コイルバネ本体２２８ｂの線材間を交差するように移動し、第２コイルバネ２２８から離れるように移動する。したがって、第２コイルバネ２２８及び第１コイルバネ２２９は、クランク２２７により周期的な往復移動をしつつ、接触時に絡まり合うことなく振動し、経時的に安定して現像剤を崩し、現像剤の詰まりが低減されている。
【００７０】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ08）を下記に例示する。
（Ｈ01）前記実施例において、画像形成装置の一例として複写機Ｕを例示したが、これに限定されず、プリンタ、ＦＡＸ、あるいはこれら複数の機能を備えた複合機等に適用可能である。また、多色現像の画像形成装置に限定されず、単色、いわゆるモノクロの画像形成装置により構成することも可能である。
（Ｈ02）前記実施例において、現像剤搬送装置の一例としての廃現像剤搬送装置ＵＨでは廃現像剤が搬送されていたが、これに限定されず、例えば現像剤を補給する搬送路に、本発明の現像剤搬送装置を適用することも可能である。
（Ｈ03）前記実施例において、中間転写体からの残留現像剤が第１崩し部材側の第1流入口に流入し、現像装置からの残留現像剤が第２崩し部材側の第２流入口に流入していたが、これに限定されず、中間転写体からの残留現像剤が第２崩し部材側の第２流入口から流入し、現像装置からの残留現像剤が第１崩し部材側の第１流入口に流入する構成も可能である。
【００７１】
（Ｈ04）前記実施例において、廃現像剤搬送装置ＵＨには、二つの流入口が形成されていたが、これに限定されず、１つの流入口や３つ以上の流入口による構成も可能である。例えば、各クリーナＣＬｙ〜ＣＬｋからの現像剤が直接落下路に流入するように構成することも可能である。
（Ｈ05）前記実施例において、第１搬送部材、第２搬送部材として、回転軸と搬送羽根とを有する、いわゆるオーガを例示したが、この構成に限定されず、線材が螺旋状に巻かれて形成されたコイル状の搬送部材等、公知のものを採用可能である。
（Ｈ06）前記実施例において、保持部材の一例として、位相が１８０°異なるダブルクランクを使用したが、これに限定されず、位相が同じクランクを使用することも可能である。
（Ｈ07）前記実施例において、オーガ１０７，１２２の搬送羽根の巻き方向によって、コイルバネ２２８，２２９に対して、現像剤を偏った位置に落下させたが、この構成に限定されず、流入口２１３，２１２の位置を、コイルバネ２２８，２２９の配置位置に対して偏った位置に形成して、現像剤がコイルバネ２２８，２２９に対して偏った位置に落下するように構成することも可能である。
【００７２】
図９は実施例１の変更例の説明図であり、実施例１の図５Ｃに対応する図である。
（Ｈ08）前記実施例において、１つのクランク２２７に、第１コイルバネ２２９と第２コイルバネ２２８とを保持する構成としたが、この構成に限定されず、各コイルバネ２２８，２２９を別体に構成された２つの保持部材で保持する構成とすることも可能である。
例えば、図９において、前壁部２２３ｂに、実施例１の前側軸受部２２５に替えて、後側軸受部２２４と前後対称な前側軸受部２２５′を形成し、前側軸受部２２５′と後側軸受部２２４との間であり且つ主搬送路２２２ｆと副搬送路２２３ａの間に、中間軸受部２３０を形成する。前記前側軸受部２２５′には、軸支持部材２２６と前後対称に配置された第１の軸支持部材２２６′を回転可能に支持する。そして、一体に構成されていた実施例１のクランク２２７に替えて、第１の軸支持部材２２６′および中間軸受部２３０に両端が支持された第１の保持部材の一例としての第１クランク２２７′と、第２の軸支持部材２２６および中間軸受部２３０に両端が支持された第２の保持部材の一例としての第２クランク２２７″と、を配置する。前記第１クランク２２７′は、実施例１と同様の回転中心部２２７ａ′、第１コイルバネ支持部２２７ｂ′、コイルバネ用移動規制部材２２７ｄ′を有し、前記第２クランク２２７″は、実施例１と同様の回転中心部２２７ａ″、第２コイル支持部２２７ｃ′、コイルバネ用移動規制部材２２７ｄ′を有している。
したがって、前記第１の軸支持部材２２６′のプーリ２２６ａ′に駆動が伝達されると、第１クランク２２７′が回転して、第１コイルバネ２２９が往復動し、第２の軸支持部材２２６のプーリ２２６ａに駆動が伝達されると、第２クランク２２７″が回転して、第２コイルバネ２２８が往復動する。なお、プーリ２２６ａ′は図示しない別の駆動源で駆動することも可能であり、プーリ２２６ａと同一の駆動源からの駆動を伝達する構成とすることも可能である。また、本変更例において、プーリ２２６ａ′およびプーリ２２６′の回転方向は、実施例１と同様に後側から見て反時計回りに回転させる設定が望ましいが、構成に応じて回転方向を異ならせることも可能である。
【図面の簡単な説明】
【００７３】
【図１】図１は本発明の実施例１の画像形成装置の全体説明図である。
【図２】図２は可視像形成装置及び中間転写体清掃器の拡大説明図である。
【図３】図３は実施例１の廃現像剤搬送装置と画像形成装置本体とを後方から見た要部斜視図である。
【図４】図４は実施例１の廃現像剤搬送装置の説明図であり、図４Ａは廃現像剤搬送装置の斜視図、図４Ｂは図４ＡにおけるＩＶＢ−ＩＶＢ線による要部断面図、図４Ｃは図４ＢにおけるＩＶＣ−ＩＶＣ線による要部断面図である。
【図５】図５は廃現像剤搬送装置の重力落下部の要部拡大図であり、図５Ａは斜視図、図５Ｂは図５ＡにおけるＶＢ−ＶＢ線断面図、図５Ｃは図５ＡにおけるＶＣ−ＶＣ線断面図、図５Ｄは図５ＣにおけるＶＤ−ＶＤ線断面図である。
【図６】図６は後方から見た保持部材、第１崩し部材、第２崩し部材の作用説明図であり、図６Ａは第２コイルバネが主搬送路に沿って最大まで下方に突出した状態の説明図、図６Ｂは図６Ａからクランクが３０°移動した状態の説明図、図６Ｃは図６Ｂからクランクが３０°移動した状態の説明図、図６Ｄは図６Ｃからクランクが３０°移動した状態の説明図で第２コイルバネが主搬送路の左壁部に最も近づく状態の説明図、図６Ｅは図６Ｄからクランクが３０°移動した状態の説明図、図６Ｆは図６Ｅからクランクが３０°移動した状態の説明図で第２コイルバネに第１コイルバネが接触する際の状態の説明図、図６Ｇは図６Ｆからクランクが３０°移動した状態の説明図で第２コイルバネが主搬送路に沿って最大まで上方に移動した状態の説明図、図６Ｈは図６Ｇからクランクが３０°移動した状態の説明図で第２コイルバネから第１コイルバネが離れる際の状態の説明図、図６Ｉは図６Ｈからクランクが３０°移動した状態の説明図、図６Ｊは図６Ｉからクランクが３０°移動した状態の説明図で第２コイルバネが主搬送路の右壁部に最も近づく状態の説明図、図６Ｋは図６Ｊからクランクが３０°移動した状態の説明図、図６Ｌは図６Ｋからクランクが３０°移動した状態の説明図でクランクがあと３０°移動すると１周する状態の説明図である。
【図７】図７は図４Ｃの保持部材、第１崩し部材、第２崩し部材の、要部の作用説明図であり、図７Ａ〜図７Ｌは、クランクが３０°ずつ移動した図６Ａ〜図６Ｌに対応する状態の作用説明図である。
【図８】図８は保持部材、第１崩し部材、第２崩し部材を、右上前方から見た作用説明図であり、図８Ａ〜図８Ｌは、クランクが３０°ずつ移動した図６Ａ〜図６Ｌに対応する状態の作用説明図である。
【図９】図９は実施例１の変更例の説明図であり、実施例１の図５Ｃに対応する図である。
【符号の説明】
【００７４】
１０２…第２現像剤搬送路、残留現像剤搬送路、
１０７…第２現像剤搬送部材、
１０７ａ…回転軸、
１０７ｂ…搬送羽根、
１２１…第１現像剤搬送路、中間転写体用残留現像剤搬送路、
１２２…第１現像剤搬送部材、
１２２ａ…回転軸、
１２２ｂ…搬送羽根、
２１２…第２流入口、
２１３…第１流入口、
２２２ｆ…落下路、第２落下路、
２２３ａ…落下路、第１落下路、
２２３ｃ…内壁面、傾斜する壁面、傾斜壁、
２２７，２２７′，２２７″…保持部材、
２２７ａ、２２７ａ′、２２７ａ″…回転軸部、
２２７ｂ、２２７ｂ′…第１崩し部材支持部、
２２７ｃ、２２７ｃ′…第２崩し部材支持部、
２２８…第２崩し部材、
２２９…第１崩し部材、
Ｂ…中間転写体、
ＣＬｙ，ＣＬｍ，ＣＬｃ，ＣＬｋ…像保持体清掃器、
ＣＬＢ…中間転写体清掃器、
Ｇｙ，Ｇｍ，Ｇｃ，Ｇｋ…現像装置、
Ｐｙ，Ｐｍ，Ｐｃ，Ｐｋ…像保持体、
Ｓ…媒体、
Ｔ１ｙ，Ｔ１ｍ，Ｔ１ｃ，Ｔ１ｋ…一次転写器、
Ｔ２ａ＋Ｔ２ｂ＋Ｔ２ｃ…二次転写器、
Ｔ１ｙ〜Ｔ１ｋ＋Ｔ２ａ＋Ｔ２ｂ＋Ｔ２ｃ＋Ｂ…転写装置、
Ｕ…画像形成装置、
ＵＨ…現像剤搬送装置。
【図１】
0004640437.tif 000002
【図２】
0004640437.tif 000003
【図３】
0004640437.tif 000004
【図４】
0004640437.tif 000005
【図５】
0004640437.tif 000006
【図６】
0004640437.tif 000007
【図７】
0004640437.tif 000008
【図８】
0004640437.tif 000009
【図９】
0004640437.tif 000010